(57)【特許請求の範囲】
【請求項１】
表示期間中に発生する走査期間を示す信号を監視する手段と、
該走査期間を示す信号を監視する手段により、走査期間を示す信号の計数値が１走査期間を示す信号の計数値よりも多い所定の値に達したときに、該走査期間を示す信号の状態が欠落したと判定して垂直帰線期間に入ったことを検出する手段と、
垂直帰線期間に入ったことを検出した後、垂直帰線期間中に欠落している前記走査期間を示す信号が本来発生するはずであった位置を演算して疑似走査期間を示す信号を発生させる手段と、
該疑似走査期間を示す信号を発生させる手段の出力に基づいて所定のタイミングを判定して液晶セル駆動回路に所定の信号を与える手段とを具備したことを特徴とする液晶表示装置。
【請求項２】
前記所定の信号を与える手段は、画面の最初に行う走査の液晶セルの電極に対して、プリチャージとして階調の中間値の電圧を印加するように液晶セル駆動回路を働かせることを特徴とする請求項１に記載の液晶表示装置。
【請求項３】
走査期間を示す信号の長さを計数する２つの計数手段と、その計数手段を交互に用いて所定計数後の走査期間を示す信号の状態を判定することによって走査期間を示す信号の欠落を判定させ、走査期間を示す信号の欠落により疑似走査期間を示す信号を発生させることを特徴とする請求項１に記載の液晶表示装置。
【発明の詳細な説明】
【０００１】
【発明の属する技術分野】
本発明はアクティブマトリクスに好適な液晶表示装置に関する。
【０００２】
【従来の技術】
従来より、液晶表示装置においては、特開平５−６１５１号公報に示されるように、画質を向上させるための様々な工夫が成されてきた。このうちアクティブマトリクス型と呼ばれる画素毎にスイッチング素子を持つ液晶セルの駆動においては、走査時間に電圧を印加しておけばその後の電圧保持効果によって表示が保たれるので、走査中にいかに電圧を印加するかということと、どのような電圧を印加するかが大きな問題となる。
【０００３】
【発明が解決しようとする課題】
そこで走査中の電圧印加に際してはその印加時間を長くするために種々工夫がなされ、また印加する電圧に対しては複数の電圧値を用いることになる。しかしこれらのためには、線順次走査をしている間だけ信号処理すれば足りるのではなく、垂直帰線期間においても所定のタイミングで処理が必要になる。
【０００４】
【課題を解決するための手段】
本発明の液晶表示装置は、請求項１に記載のように、表示期間中に発生する走査期間を示す信号を監視する手段と、該走査期間を示す信号を監視する手段により、走査期間を示す信号の計数値が１走査期間を示す信号の計数値よりも多い所定の値に達したときに、該走査期間を示す信号の状態が欠落したと判定して垂直帰線期間に入ったことを検出する手段と、垂直帰線期間に入ったことを検出した後、垂直帰線期間中に欠落している前記走査期間を示す信号が本来発生するはずであった位置を演算して疑似走査期間を示す信号を発生させる手段と、該疑似走査期間を示す信号を発生させる手段の出力に基づいて所定のタイミングを判定して液晶セル駆動回路に所定の信号を与える手段とを具備したことを特徴とする。
【０００５】
本発明の液晶表示装置は、請求項２に記載のように、前記所定の信号を与える手段は、画面の最初に行う走査の液晶セルの電極に対して、プリチャージとして階調の中間値の電圧を印加するように液晶セル駆動回路を働かせることを特徴とする。
【０００６】
本発明の液晶表示装置は、請求項２に記載のように、走査期間を示す信号の長さを計数する２つの計数手段と、その計数手段を交互に用いて所定計数後の走査期間を示す信号の状態を判定することによって走査期間を示す信号の欠落を判定させ、走査期間を示す信号の欠落により疑似走査期間を示す信号を発生させることを特徴とする。
【０００７】
【発明の実施の形態】
図１は本発明実施例の液晶表示装置のブロック図で、１０はアクティブマトリクス型の液晶セルであり、画素毎にａ−ＳｉＴＦＴなどの能動素子をもち、基板間に液晶層を挾持している。この液晶セル１０は、ゲート電極群に接続された走査回路１１とソース電極群に接続された信号回路１２からなる液晶セル駆動回路に接続されている。
【０００８】
２は、パソコン、ワープロなどの機器から、データ信号やタイミング信号等を受け取る受信部３、４や必要に応じて制御手段６を介して得た信号から走査期間を示す信号ＤＥを監視する手段で、受信部３、４は単なる端子であったりバッファであったりしてもよいが、波形成形回路や誤り訂正回路を含んだ回路、あるいはＩ／Ｏポートであってもよい。５は、走査期間を示す信号ＤＥを監視する手段２の走査期間を示す信号の欠落により疑似走査期間を示す信号ＲＤを発生させる手段である。６は、パソコン、ワープロなどの機器から受信部３、４を介して得た信号から、データ信号や各種制御信号を必要に応じて再生し、あるいは新たな制御信号などを生成し、ゲート電極群に接続された走査回路１１とソース電極群に接続された信号回路１２からなる液晶セル駆動回路にこれらデータ信号や各種制御信号を出力する制御手段である。
【０００９】
この制御手段６は、疑似走査期間を示す信号に基づいて液晶セル駆動回路に所定の信号を与え、垂直帰線期間の長さを計数する手段や、所定のタイミングを判定して液晶セル駆動回路に所定の信号を与える手段や、階調の中間値の電圧の信号などを記憶する記憶手段６３などを具備している。なおこの制御手段６は、明確にハードウエアで独立されているものではなく、走査期間を示す信号ＤＥを監視する手段２や、疑似走査期間を示す信号を発生させる手段５とともに一つの集積回路素子１３に組み込まれるのが好ましい。
【００１０】
これらの構成において、走査期間を示す信号ＤＥを監視する手段２と、疑似走査期間を示す信号を発生させる手段５とは、例えば図２に示すような構成からなる。まず走査期間を示す信号の長さを計数する２つの計数手段、具体的には前後にゲート（Ｇ）を有するカウンター２１、２２と、その計数手段を交互に用いて所定計数後の走査期間を示す信号の状態を判定することによって走査期間を示す信号の欠落を判定させる手段、具体的には所定の数値を記憶するレジスタ２３と一致判定回路２４とを設けてある。カウンター２１、２２は、走査期間を示す信号ＤＥの立ち上がりに応答するフリップフロップ２５に応動し、走査期間を示す信号の期間内にいくらのドットクロック（ＸＣＬＫ）があるか（例えばその機器の表示ドライバの設定で５１２であったとする）を計数するように接続され、その計数結果がたとえば７６８を越えると一致判定回路２４が出力を出すように構成されている。
【００１１】
またこれらの構成の中には、走査期間を示す信号の欠落により疑似走査期間を示す信号を発生させる手段、具体的には演算器５１と自己リセット式のプリセットカウンターからなるカウンター５２と、走査期間を示す信号と疑似走査期間を示す信号と、疑似走査期間を示す信号の発生期間を示す信号とを、必要に応じて波形成形しながら出力する、機能出力バッファ（例えばセレクタポート）からなる出力段５３が設けてあり、走査期間を示す信号が欠落するとその判定時間から走査時間に相当する区切りの時間までの時間差を演算器５１で演算して、その時間に相当するドットクロック（ＸＣＬＫ）の計数からカウンター５２によりカウンター２１、２２のいずれかに残存している本来の走査時間を示すドットクロック（ＸＣＬＫ）の計数値に基づいて計数・リセットを行い疑似走査期間のタイミングを得るものである。
【００１２】
このような構成において、この液晶表示装置の動作を説明する。まず機器の電源投入により機器から電力と各種信号が得られるが、制御手段６のカウンター６１は垂直帰線信号または走査期間を示す信号ＤＥの欠落から、垂直帰線期間の長さを計数し、この垂直帰線期間の長さはたとえば走査期間を示す信号ＤＥの数（個数）ｎとして、その値を垂直期間レジスタ６２に記憶させる。上述した構成のうち走査期間を示す信号ＤＥを監視する手段２による走査期間を示す信号の欠落の判定手段は、垂直帰線期間に入ったことを検出する手段でもある。
【００１３】
図３を参照して、機器から得た、若しくはその後信号処理して得た走査期間を示す信号ＤＥは、走査線毎の有効画素信号（データ）送信期間を示しており、例えば図３ａのＨレベルの期間には各々１走査（ライン）分の画素信号がドットクロックに同期して送信されていることを示す。フリップフロップ２５はこの走査期間を示す信号ＤＥの立ち上がりに応答し、出力Ｑでは図３ｂのような波形を、出力Ｑバーではその反転波形を出力し、その信号によってカウンター２１、２２のゲート（Ｇ）は交互に開閉し、指定されたゲートを開く瞬間に当該カウンターをリセットすることで走査期間を示す信号ＤＥの長さをドットクロック（ＸＣＬＫ）で計数する。例えば立ち上がりでリセットがかかりＨレベルでゲート（Ｇ）が開くとすると、図３ｃ、ｄに示すようにカウンター２１、２２は交互に矢印部分で計数をするので、いわゆる表示期間（垂直帰線期間以外）においては基本的にカウンター２１、２２は、先の例で５１２をカウントして相手方のカウンターに切り替わる。必要に応じてこれら二つのカウンター２１、２２の計数終了時の内容を比較し、クロックのズレの修正や誤り訂正などに利用してもよい。
【００１４】
垂直帰線期間においては走査期間を示す信号ＤＥが反転しなくなるので、例えば図３ｄの例ではカウンター２２はカウントを継続するが、それは後段のゲートＧによって一致判定回路２４によってモニターされており、レジスタ２３に記憶された数字７６８に至ると一致判定回路２４の出力が反転（図３ｅ）する。すなわち、計数手段を交互に用いて走査期間を示す信号の欠落を判定し、それがレジスタ２３の数字を所定の数字としておくことで垂直帰線期間であることが判別される。このときすぐに疑似走査期間を示す信号を発生させると本来の５１２ドットクロックの位置から外れたことになる。そこで、セレクタ２７により、計数を停止しているカウンタ２２から本来の走査期間を示す信号ＤＥの計数値５１２を読み出して、本来の走査期間を示す信号ＤＥの位置を演算するのが演算器５１である。
【００１５】
例えば７６８を計数しているカウンタ２１の計数開始を基準として、本来の走査期間を示す信号ＤＥの位置は５１２、１０２４、１５３６、２０４８・・でありそのタイミングで本来の走査期間を示す信号が発生するはずなので、現在計数中の７６８から２５６ドットクロック後に疑似走査期間を示す信号の開始ができるようにカウンター５２をプリセットする。同時に一致判定回路２４の反転出力は、カウンター５２のゲートＧを開くので、カウンター５２はプリセット値までカウントを行う。出力段５３の走査期間を示す信号ＤＥと疑似走査期間を示す信号との論理和出力ＭＤＥは、図３ｆに示すように走査期間を示す信号ＤＥが欠落した最初の１波形が欠けただけで一定の間隔のパルスを維持できる。
【００１６】
従って制御手段６では、このような一致判定回路２４の出力ｅと、疑似走査期間を示す信号とから、例えば図３ｇに示すように、最終ラインのゲート出力において、容量結合駆動を行う場合の最終ラインの電圧補正を、他のラインと全く同じタイミングｔで行うことができる。また、先に計数した垂直帰線期間の長さｎを元に垂直帰線期間の終了前にプリチャージを液晶セル１０に印加するべく走査の開始とその走査用のデータを生成することができる。図３ｈの例は、走査開始の２走査前（ｎ−１）とｎにおいて液晶セル駆動回路に所定の信号を与える場合のデータセットを示している。この場合２５６階調のデータを扱うのであればプリチャージの意味からして黒データが良い様に考えられるが、実際の第１走査線の画信号はこの時点では到着しておらずその画信号データが白に近いのか黒に近いのか不明であるから、黒データを扱うよりも、ｎ−１、ｎ期間で１２７階調目のデータを印加するなど、画面の最初に行う走査（概ね第１走査線）の液晶セル１０の電極に対して、階調の中間値の電圧を印加するように液晶セル駆動回路を働かせるのが好ましい。但し、データを先読みして用いたり、前画面から予測してプリチャージに用いてもよい。
【００１７】
【発明の効果】
以上のように本発明にあっては、垂直帰線期間も疑似的に走査期間を示す信号を生成するので、垂直帰線期間における所望のタイミングが取りやすく、液晶セル表示の表示品位を高く維持することができる。
【図面の簡単な説明】
【図１】本発明実施例の液晶表示装置のブロック図である。
【図２】図１の要部のブロック図である。
【図３】図２の状態説明図である。
【符号の説明】
１０ 液晶セル
１１ 走査回路
１２ 信号回路
２ 走査期間を示す信号を監視する手段
５ 疑似走査期間を示す信号を発生させる手段
６ 制御手段
【図１】
0003796205.tif 000002
【図２】
0003796205.tif 000003
【図３】
0003796205.tif 000004